(57)【要約】【課題】バックアップのための不揮発性メモリを設けることなく、不揮発性メモリに記憶されているデータを再利用できるようにする。【解決手段】不揮発性メモリ１７とコネクタ１７０とを有する第１部分１００１に対してプリント基板１００の厚さ方向の力を加えると、ＣＰＵ１１Ａを有する第２部分１００２から第１部分１００１が三角形の形状で分離する。分離された第１部分１００１にあるコネクタ１７０と、第１部分１００１が分離されていないプリント基板１００にあるコネクタ１７０とをケーブル２００で接続する。プリント基板１００上にあるＣＰＵ１１Ａは、分離された第１部分１００１にある不揮発性メモリ１７に記憶されているデータを、ケーブル２００を介して取得し、同じプリント基板１００上にある不揮発性メモリ１７へコピーする。【選択図】図２
2019153748.tif 000002
【特許請求の範囲】
【請求項１】
不揮発性メモリとコネクタとが配置された第１部分と、
前記不揮発性メモリを制御する制御手段が配置され、前記第１部分と連なっている第２部分と、
前記コネクタの端子と前記不揮発性メモリ、及び前記不揮発性メモリと前記制御手段にそれぞれ接続された信号線と、
前記第１部分を前記第２部分から分離する第１分離手段と
を備える基板。
【請求項２】
前記第１分離手段は、前記基板の表面から裏面へ貫通する複数の穴である
請求項１に記載の基板。
【請求項３】
前記信号線を複数有し、
隣り合う２つの前記穴の間に一の前記信号線が設けられている
請求項２に記載の基板。
【請求項４】
前記第１部分は、前記第２部分との分離前においては前記基板の端にある
請求項１から請求項３のいずれか一項に記載の基板。
【請求項５】
前記第１部分は、前記第２部分との分離前においては前記基板の角にある
請求項１から請求項３のいずれか一項に記載の基板。
【請求項６】
前記第１部分の形状は、基板の二辺の一部を二辺とする三角形である
請求項５に記載の基板。
【請求項７】
第１部分において前記不揮発性メモリが配置された第３部分と、前記第１部分において前記コネクタが配置された第４部分とを分離する第２分離手段
を備える請求項１から請求項６のいずれか一項に記載の基板。
【請求項８】
前記コネクタにおいて前記信号線が接続された前記端子とは異なる端子と前記制御手段とを接続し、前記コネクタを介して不揮発性メモリに接続される信号線
を備える請求項１から請求項７のいずれか一項に記載の基板。
【請求項９】
不揮発性メモリとコネクタとが配置された第１部分と、
制御対象の制御と前記不揮発性メモリの制御とを行う制御手段が配置され、前記第１部分と連なっている第２部分と、
前記コネクタの端子と前記不揮発性メモリ、及び前記不揮発性メモリと前記制御手段にそれぞれ接続された信号線と、
前記第１部分を前記第２部分から分離する第１分離手段と
を有する基板
を備える電子機器。
【発明の詳細な説明】
【技術分野】
【０００１】
本発明は、基板及び電子機器に関する。
【背景技術】
【０００２】
制御基板内の不揮発性メモリのデータをバックアップする発明として、例えば特許文献１に開示されたプリンタ制御装置がある。このプリンタ制御装置は、プリンタ制御基板内の不揮発性メモリのデータをプリンタ制御基板に接続されるバックアップ用メモリに書き込む。プリンタ制御装置は、プリンタ制御基板が交換された際には、バックアップ用メモリに記憶されたデータを転送し、新しいプリンタ制御基板内の不揮発性メモリ内のデータを転送されたデータで変更する。
【先行技術文献】
【特許文献】
【０００３】
【特許文献１】特開２００６−２７２９８０号公報
【発明の概要】
【発明が解決しようとする課題】
【０００４】
バックアップ用のメモリにデータを記憶させる場合、基板内のメモリとは別にメモリを用意する必要があり、部品の個数が増え、コストがかかることとなる。また、基板の破損や信号線の短絡がある場合は、基板の外部からコネクタ等を介して不揮発性メモリにアクセスしても正常にデータが取り出せないことがある。
【０００５】
本発明は、基板内にバックアップのための不揮発性メモリを設けることなく、不揮発性メモリに記憶されているデータを再利用できるようにすることを目的とする。
【課題を解決するための手段】
【０００６】
本発明の請求項１に係る基板は、不揮発性メモリとコネクタとが配置された第１部分と、前記不揮発性メモリを制御する制御手段が配置され、前記第１部分と連なっている第２部分と、前記コネクタの端子と前記不揮発性メモリ、及び前記不揮発性メモリと前記制御手段にそれぞれ接続された信号線と、前記第１部分を前記第２部分から分離する第１分離手段とを備える。
【０００７】
本発明の請求項２に係る基板においては、前記第１分離手段は、前記基板の表面から裏面へ貫通する複数の穴である。
【０００８】
本発明の請求項３に係る基板は、前記信号線を複数有し、隣り合う２つの前記穴の間に一の前記信号線が設けられている。
【０００９】
本発明の請求項４に係る基板においては、前記第１部分は、前記第２部分との分離前においては前記基板の端にある。
【００１０】
本発明の請求項５に係る基板においては、前記第１部分は、前記第２部分との分離前においては前記基板の角にある。
【００１１】
本発明の請求項６に係る基板においては、前記第１部分の形状は、基板の二辺の一部を二辺とする三角形である。
【００１２】
本発明の請求項７に係る基板は、第１部分において前記不揮発性メモリが配置された第３部分と、前記第１部分において前記コネクタが配置された第４部分とを分離する第２分離手段を備える。
【００１３】
本発明の請求項８に係る基板は、前記コネクタにおいて前記信号線が接続された前記端子とは異なる端子と前記制御手段とを接続し、前記コネクタを介して不揮発性メモリに接続される信号線を備える。
【００１４】
本発明の請求項９に係る電子機器は、不揮発性メモリとコネクタとが配置された第１部分と、制御対象の制御と前記不揮発性メモリの制御とを行う制御手段が配置され、前記第１部分と連なっている第２部分と、前記コネクタの端子と前記不揮発性メモリ、及び前記不揮発性メモリと前記制御手段にそれぞれ接続された信号線と、前記第１部分を前記第２部分から分離する第１分離手段とを有する基板を備える。
【発明の効果】
【００１５】
本発明の請求項１に係る基板によれば、バックアップのための不揮発性メモリを設けることなく、不揮発性メモリに記憶されているデータを再利用できる。
本発明の請求項２に係る基板によれば、第１部分を第２部分から容易に分離させることができる。
本発明の請求項３に係る基板によれば、第１部分を第２部分から分離させるときに、信号線同士が短絡するのを防ぐことができる。
本発明の請求項４に係る基板によれば、第１部分が基板の端にない場合と比較して、第１部分を基板から容易に分離させることができる。
本発明の請求項５に係る基板によれば、第１部分が基板の角にない場合と比較して、第１部分を容易に分離させることができる。
本発明の請求項６に係る基板によれば、第１部分が矩形である場合と比較して、第１部分を容易に分離させることができる。
本発明の請求項７に係る基板によれば、さらに不揮発性メモリとコネクタとを分離させ、分離された不揮発性メモリへのアクセスを抑えることができる。
本発明の請求項８に係る基板によれば、他の基板から分離された第１部分に配置されている不揮発性メモリへ制御手段からアクセスすることができる。
本発明の請求項９に係る電子機器によれば、バックアップのための不揮発性メモリを設けることなく、不揮発性メモリに記憶されているデータを再利用できる。
【図面の簡単な説明】
【００１６】
【図１】本発明の一実施形態に係る画像形成装置１のハードウェア構成を示す図。
【図２】ＣＰＵ１１Ａと不揮発性メモリ１７が配置されたプリント基板１００の一例を示した図。
【図３】コネクタ１７０の端子の一例を示した図。
【図４】分離された第１部分１００１と新たに取り付けられたプリント基板１００とのケーブル２００による接続の模式図。
【図５】ＣＰＵ１１Ａが行う処理の流れを示したフローチャート。
【図６】本発明の変形例に係るプリント基板１００Ａを示した図。
【図７】本発明の変形例に係るプリント基板１００Ｂを示した図。
【発明を実施するための形態】
【００１７】
［実施形態］
図１は、本発明に係る電子機器の一例である画像形成装置１のハードウェア構成を示す図である。画像形成装置１は、複写機能、ファクシミリ機能、スキャン機能、外部のコンピュータ装置から取得した画像データが表す画像を用紙に形成する画像形成機能などを有する。
【００１８】
制御部１１は、ＣＰＵ（Central Processing Unit）、ＲＯＭ（Read Only Memory）及びＲＡＭ（Random Access Memory）を備える。本発明に係る制御手段の一例であるＣＰＵ１１Ａは、ＲＯＭ１１Ｂに記憶されたプログラムを、ＲＡＭ１１Ｃを作業エリアにして実行し、画像形成装置１の各部を制御する。操作部１５は、液晶ディスプレイ、画像形成装置１を操作するためのタッチパネル及び複数のボタンを備えている。制御部１１は、操作部１５で行われた操作に応じて各部を制御する。不揮発性メモリ１７は、データの保持に電力を必要としないメモリであり、画像形成装置１の設定に関する各種データを記憶する。
【００１９】
通信部１６は、通信回線に接続されており、通信回線に接続されている他の装置とデータ通信を行う。なお、通信回線としては、電話回線やＬＡＮ（local Area Network）等が挙げられる。通信部１６は、用紙に形成する画像を示す画像データを他の装置から取得する。スキャン部１４は、文書を光学的に読み取り、読み取った文書の画像を表す画像データを生成する。スキャン部１４は、生成した画像データを制御部１１へ出力する。
【００２０】
画像処理部１２は、制御部１１から供給される画像データに各種画像処理を施すものである。画像処理部１２は、供給される画像データが表す画像に色補正や階調補正等の画像処理を施し、画像処理が施された画像からイエロー（Ｙ）、マゼンタ（Ｍ）、シアン（Ｃ）、黒（Ｋ）の各色の画像の画像データを生成して画像形成部１３へ出力する。
【００２１】
画像形成部１３は、供給されるＹ、Ｍ、Ｃ及びＫの画像データに応じて、電子写真方式により用紙（記録媒体）に画像を形成する画像形成部の一例である。画像形成部１３は、画像形成エンジン２１Ｙ、２１Ｍ、２１Ｃ、２１Ｋと、中間転写ベルト２２と、二次転写ローラ２３と、定着器２４とを備えている。画像形成エンジン２１Ｙ、２１Ｍ、２１Ｃ、２１Ｋはそれぞれ、感光体ドラム３１と、帯電器３２と、露光装置３３と、現像器３４と、一次転写ローラ３５とを備えている。画像形成エンジン２１Ｙは、供給されるイエローの画像データに応じてイエローのトナー像を形成し、画像形成エンジン２１Ｍは、供給されるマゼンタ画像データに応じてマゼンタのトナー像を形成し、画像形成エンジン２１Ｃは、供給されるシアンの画像データに応じてシアンのトナー像を形成し、画像形成エンジン２１Ｋは、供給される黒の画像データに応じて黒のトナー像を形成する。各画像形成エンジンの感光体ドラム３１、帯電器３２、露光装置３３、現像器３４、一次転写ローラ３５を区別する場合、それぞれに画像形成エンジンの符号の末尾を付す。
【００２２】
像保持体の一例である感光体ドラム３１は、表面に感光層が形成されており、軸を中心に回転する。帯電器３２は、感光体ドラム３１の表面を予め定められた電位に帯電させる。露光装置３３は、帯電した感光体ドラム３１に対し、供給された画像データに応じて発光素子から光を照射することにより、感光体ドラム３１の表面を露光して感光体ドラム３１に静電潜像を形成する。現像器３４は、感光体ドラム３１に形成された静電潜像をトナーで現像し、トナー像を形成する。一次転写ローラ３５は、感光体ドラム３１上に形成されたトナー像を中間転写ベルト２２に転写する。
【００２３】
中間転写ベルト２２は、駆動ローラ２２ａとバックアップローラ２２ｂにより支持されており、駆動ローラ２２ａにより図中の矢印Ａ方向に回転させられる。中間転写ベルト２２は、画像形成エンジン２１Ｙ、２１Ｍ、２１Ｃ、２１Ｋの感光体ドラム３１から転写されたトナー像を二次転写ローラ２３へと搬送する。二次転写ローラ２３は、中間転写ベルト２２上に形成されたトナー像を用紙等の記録媒体に転写する。トナー像が転写された記録媒体は、定着器２４へと搬送される。定着器２４は、加熱及び加圧によりトナー像を記録媒体に定着させる。定着器２４は、記録媒体に画像を定着させる定着部の一例である。トナー像が定着された記録媒体は、画像形成装置１から排出される。
【００２４】
本実施形態においては、ＣＰＵ１１Ａと不揮発性メモリ１７は、同じプリント基板上に配置されている。ＣＰＵ１１Ａと不揮発性メモリ１７が配置されたプリント基板１００の一例を図２に示す。プリント基板１００においては、不揮発性メモリ１７とコネクタ１７０が矩形のプリント基板１００の角部に配置されている。プリント基板１００は、本発明に係る基板の一例である。なお、図２においては、図面が煩雑になるのを防ぐため、本発明に係る部品以外の図示を省略している。
【００２５】
穴１５０は、プリント基板１００の表面から裏面に貫通する穴であり、プリント基板１００は、複数の穴１５０を有する。複数の穴１５０は、プリント基板１００の角を構成する二辺の一方の辺側から他方の辺側へ直線状に並んでいる。複数の穴１５０は、本発明に係る第１分離手段の一例である。不揮発性メモリ１７とコネクタ１７０とを有する第１部分１００１に対してプリント基板１００の厚さ方向の力を加えると、隣り合う穴１５０の間に亀裂が入り、ＣＰＵ１１Ａを有する第２部分１００２から第１部分１００１がプリント基板１００の二辺の一部を二点とする三角形の形状で分離する。第１部分１００１は、本発明に係る第１部分の一例であり、ＣＰＵ１１Ａを有する第２部分１００２は、本発明に係る第２部分の一例である。
【００２６】
信号線１０１〜１０３は、プリント基板１００に設けられた配線である。信号線１０１〜１０３は、不揮発性メモリ１７へアクセスするための信号線であり、不揮発性メモリ１７とＣＰＵ１１Ａに接続されている。ＣＰＵ１１Ａは、信号線１０１〜１０３を介して不揮発性メモリ１７へアクセスし、不揮発性メモリ１７へのデータの書き込みや不揮発性メモリ１７からのデータの読出しを行う。なお、本実施形態においては、隣り合う２つの穴１５０の間に一つの信号線が通る構成となっており、信号線１０１に隣り合う穴１５０の組と、信号線１０２に隣り合う穴１５０の組と、信号線１０３に隣り合う穴１５０の組とが異なる構成となっている。
【００２７】
信号線１２１〜１２３は、プリント基板１００の外部から不揮発性メモリ１７へアクセスするための信号線である。信号線１２１は、信号線１０１に接続され、信号線１２２は、信号線１０２に接続され、信号線１２３は、信号線１０３に接続されている。また、信号線１２１〜１２３は、コネクタ１７０の端子に接続されている。電源線１２４は、不揮発性メモリ１７へ電力を供給する配線であり、不揮発性メモリ１７の電源端子と、コネクタ１７０の端子に接続されている。
【００２８】
信号線１１１〜１１３は、コネクタ１７０を介して接続される外部の不揮発性メモリ１７へＣＰＵ１１Ａがアクセスするための信号線である。信号線１１１〜１１３は、コネクタ１７０の端子に接続されている。なお、本実施形態においては、隣り合う２つの穴１５０の間に一つの信号線が通る構成となっており、信号線１１１に隣り合う穴１５０の組と、信号線１１２に隣り合う穴１５０の組と、信号線１１３に隣り合う穴１５０の組とが異なる構成となっている。
【００２９】
図３は、コネクタ１７０が有する端子の一例を示した図である。コネクタ１７０は、端子１７１〜１７９を有する。端子１７１と端子１７９は、プリント基板１００上のグランド（ＧＮＤ）の配線に接続されている。端子１７５は、プリント基板１００上に配置された部品に電力を供給する電源線１２４に接続されている。
【００３０】
端子１７２は、信号線１１１に接続され、端子１７３は、信号線１１２に接続され、端子１７４は、信号線１１３に接続されている。即ち、プリント基板１００において第１部分１００１が第２部分１００２から分離される前の状態においては、端子１７２は、信号線１１１を介してＣＰＵ１１Ａに接続され、端子１７３は、信号線１１２を介してＣＰＵ１１Ａに接続され、端子１７４は、信号線１１３を介してＣＰＵ１１Ａに接続されている。
【００３１】
端子１７６は、信号線１２１に接続され、端子１７７は、信号線１２２に接続され、端子１７８は、信号線１２３に接続されている。即ち、端子１７６は、信号線１２１を介して不揮発性メモリ１７に接続され、端子１７７は、信号線１２２を介して不揮発性メモリ１７に接続され、端子１７８は、信号線１２３を介して不揮発性メモリ１７に接続されている。
【００３２】
画像形成装置１が有するプリント基板１００に異常が発生した場合、画像形成装置１のメンテナンスを行うカスタマーエンジニアがプリント基板１００を交換する。本実施形態においては、プリント基板１００を交換する際に、異常が発生したプリント基板１００上の不揮発性メモリ１７に記憶されているデータを、異常がない新たなプリント基板１００上にある不揮発性メモリ１７に移す。以下、不揮発性メモリ１７に記憶されているデータを移すときの作業の流れについて説明する。
【００３３】
まず、カスタマーエンジニアは、電源がオフとなっている画像形成装置１において、異常があるプリント基板１００を画像形成装置１から取り外した後、異常のない新しいプリント基板１００を画像形成装置１に取り付ける。次にカスタマーエンジニアは、取り外した異常があるプリント基板１００の第１部分１００１に力を加え、第１部分１００１を第２部分１００２から分離する。カスタマーエンジニアは、分離された第１部分１００１にあるコネクタ１７０と、画像形成装置１に取り付けられた新しいプリント基板１００にあるコネクタ１７０とをケーブル２００で接続した後、画像形成装置１の電源をオンにする。
【００３４】
図４は、分離された第１部分１００１と新たに取り付けられたプリント基板１００とのケーブル２００による接続を模式的に示した図である。なお、分離された第１部分１００１のコネクタ１７０の端子と新しいプリント基板１００のコネクタ１７０の端子の区別を容易にするため、便宜上、分離された第１部分１００１が有するコネクタ１７０の端子の符号の末尾には「Ａ」を付し、新しいプリント基板１００が有するコネクタ１７０の端子の符号の末尾には「Ｂ」を付して説明を行う。
【００３５】
端子１７１Ｂは、ケーブル２００によって端子１７９Ａに接続され、端子１７９Ｂは、ケーブル２００によって端子１７１Ａに接続される。端子１７１Ｂと端子１７９Ｂは、プリント基板１００のグランドに接続されており、端子１７１Ａと端子１７９Ａは、第１部分１００１のグランドに接続されているため、ケーブル２００でコネクタ１７０を接続することにより、プリント基板１００のグランドと、分離された第１部分１００１のグランドが共通となる。端子１７５Ｂは、ケーブル２００によって端子１７５Ａに接続される。端子１７５Ｂは、プリント基板１００の電源線１２４に接続されており、端子１７５Ａは、第１部分１００１の電源線１２４に接続されているため、プリント基板１００から端子１７５Ｂ、ケーブル２００及び端子１７５Ａを介して第１部分１００１の不揮発性メモリ１７へ電力が供給される。
【００３６】
端子１７２Ｂは、ケーブル２００によって端子１７８Ａに接続される。端子１７２Ｂは、信号線１１１でＣＰＵ１１Ａに接続され、端子１７８Ａは、信号線１２３で不揮発性メモリ１７に接続されているため、信号線１１１、端子１７２Ｂ、ケーブル２００、端子１７８Ａ及び信号線１２３を介してプリント基板１００のＣＰＵ１１Ａと、分離された第１部分１００１の不揮発性メモリ１７が接続される。
【００３７】
端子１７３Ｂは、ケーブル２００によって端子１７７Ａに接続される。端子１７３Ｂは、信号線１１２でＣＰＵ１１Ａに接続され、端子１７７Ａは、信号線１２２で不揮発性メモリ１７に接続されているため、信号線１１２、端子１７３Ｂ、ケーブル２００、端子１７７Ａ及び信号線１２２を介してプリント基板１００のＣＰＵ１１Ａと、分離された第１部分１００１の不揮発性メモリ１７が接続される。
【００３８】
端子１７４Ｂは、ケーブル２００によって端子１７６Ａに接続される。端子１７４Ｂは、信号線１１３でＣＰＵ１１Ａに接続され、端子１７６Ａは、信号線１２１で不揮発性メモリ１７に接続されているため、信号線１１３、端子１７４Ｂ、ケーブル２００、端子１７６Ａ及び信号線１２１を介してプリント基板１００のＣＰＵ１１Ａと、分離された第１部分１００１の不揮発性メモリ１７が接続される。
【００３９】
次にカスタマーエンジニアは、分離された第１部分１００１上にある不揮発性メモリ１７のデータのコピーを指示する操作を操作部１５で行う。ＣＰＵ１１Ａは、不揮発性メモリ１７のデータのコピーを指示する操作が行われると、不揮発性メモリ１７のデータをコピーする処理を開始する。
【００４０】
図５は、ＣＰＵ１１Ａが行うデータのコピーの処理の流れを示したフローチャートである。まず画像形成装置１に取り付けられたプリント基板１００に配置されたＣＰＵ１１Ａは、分離された第１部分１００１が有する不揮発性メモリ１７に記憶されているデータを、信号線１１１〜１１３を介して取得する（ステップＳＡ１）。ＣＰＵ１１Ａは、ステップＳＡ１で取得したデータを、同じプリント基板１００にある不揮発性メモリ１７へ信号線１０１〜１０３を介して書き込む（ステップＳＡ２）。
【００４１】
ＣＰＵ１１Ａは、第１部分１００１が有する不揮発性メモリ１７からコピーすべきデータを全て書き込んだか判断する（ステップＳＡ３）。ＣＰＵ１１Ａは、コピーすべきデータについて、全てのデータの書き込みを終了していない場合、処理の流れをステップＳＡ１へ戻し（ステップＳＡ３でＮＯ）、コピーしていないデータの取得と書き込みを行う。
【００４２】
ＣＰＵ１１Ａは、コピーすべきデータについて、全てのデータの書き込みを終了した場合（ステップＳＡ３でＹＥＳ）、コピーが終了したこと操作部１５のタッチパネルの液晶ディスプレイに表示する（ステップＳＡ４）。コピーの終了の表示を確認したカスタマーエンジニアは、プリント基板１００と第１部分１００１からケーブルを外し、データのコピーの作業を終了する。
【００４３】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４４】
上述した実施形態においては、ＣＰＵ１１Ａは、ステップＳＡ３でＹＥＳと判断した後、ケーブル２００を介して接続されている不揮発性メモリ１７に記憶されているデータを消去してもよい。この構成によれば、データのコピーが終了した後で第１部分１００１の不揮発性メモリ１７が廃棄された場合に、不揮発性メモリ１７から記憶されていたデータを第三者に読み出されることがない。
【００４５】
上述した実施形態においては、プリント基板１００の厚さ方向に見たときの穴１５０の形状は、円形であるが、穴１５０の形状は円形に限定されるものではない。例えば、プリント基板１００の厚さ方向に見たときの穴１５０の形状は、楕円形、矩形、又は多角形など円形以外の形状であってもよい。
【００４６】
上述した実施形態においては、第１部分１００１を第２部分１００２から分離するための第１分離手段が複数の穴１５０となっているが、第１分離手段は複数の穴１５０に限定されるものではない。例えば、複数の穴１５０に替えて表面又は裏面から窪んだ複数の溝をプリント基板１００の表面又は裏面側に設け、この複数の溝を第１分離手段としてもよい。なお、この溝の底の形状は、平坦な形状に限定されるものではなく、鋭角又は弧状であってもよい。また、第１部分１００１においてコネクタ１７０と不揮発性メモリ１７が配置されている側と反対側の面に配線が設けられていない場合、配線が設けられていない側の面において、複数の溝に替えてプリント基板１００の角を構成する二辺の一方の辺側から他方の辺側へ連続した溝を設け、この溝を第１分離手段としてもよい。
【００４７】
上述した実施形態においては、第１部分１００１は、第１部分１００１においてコネクタ１７０がある部分と、第１部分１００１において不揮発性メモリ１７がある部分とを分離する分離手段を有する構成であってもよい。図６は、本発明の変形例に係るプリント基板１００Ａを示した図である。プリント基板１００Ａは、プリント基板１００と比較すると、複数の穴１５１を有する点が相違している。複数の穴１５１は、直線状に並んでいる。複数の穴１５１は、本発明に係る第２分離手段の一例である。分離された第１部分１００１において、コネクタ１７０を有する第４部分１００４にプリント基板１００Ａの厚さ方向の力を加えると、隣り合う穴１５１の間に亀裂が入り、第１部分１００１は、コネクタ１７０を有する第４部分１００４が不揮発性メモリ１７を有する第３部分１００３から分離する。第３部分１００３は、本発明に係る第３部分の一例であり、第４部分１００４は、本発明に係る第４部分の一例である。この構成によれば、コネクタ１７０を有する第４部分と、不揮発性メモリ１７を有する第３部分１００３とが切り離され、コネクタ１７０から不揮発性メモリ１７へ容易にアクセスすることが困難となり、第３部分１００３にある不揮発性メモリ１７から、記憶されているデータを第三者に読み出されることを抑えられる。
【００４８】
上述した実施形態においては、第１部分１００１は、プリント基板１００の角部であって三角形の形状となっているが、第１部分１００１の形状は三角形の形状に限定されるものではなく、例えば、矩形の形状であってもよい。図７は、本発明の変形例に係るプリント基板１００Ｂを示した図である。なお、図７においては、図面が煩雑になるのを防ぐため、本発明に係る部品以外の図示を省略している。プリント基板１００Ｂにおいては、コネクタ１７０と不揮発性メモリ１７は、プリント基板１００Ｂの辺の一つに沿ってプリント基板１００Ｂの端部に配置されており、複数の穴１５０は、プリント基板１００Ｂの辺に沿って直線状に並んでいる。プリント基板１００Ｂの厚さ方向の力を不揮発性メモリ１７とコネクタ１７０を有する第１部分１００１Ｂに加えると、隣り合う穴１５０の間に亀裂が入り、プリント基板１００Ｂは、ＣＰＵ１１Ａを有する第２部分１００２Ｂから第１部分１００１Ｂが矩形の形状で分離する。
【００４９】
上述した実施形態においては、プリント基板１００は、信号線１１１〜１１３を備えているが、信号線１１１〜１１３を備えていない構成であってもよい。プリント基板１００が、信号線１１１〜１１３を備えていない構成の場合、カスタマーエンジニアは、分離された第１部分１００１にあるコネクタ１７０とラップトップコンピュータとをケーブル２００で接続する。ラップトップコンピュータは、ケーブル２００を介して端子１７５Ａへ電力を供給し、ケーブル２００、端子１７６Ａ、端子１７７Ａ及び端子１７８Ａを介して不揮発性メモリ１７からデータを取得し、取得したデータを記憶する。次にカスタマーエンジニアは、画像形成装置１に取り付ける新しいプリント基板１００とラップトップコンピュータとをケーブル２００で接続する。ラップトップコンピュータは、記憶したデータを、ケーブル２００、端子１７２Ｂ、端子１７３Ｂ及び端子１７４Ｂを介して新しいプリント基板１００のＣＰＵ１１Ａへ供給し、ＣＰＵ１１Ａは、供給されたデータを、信号線１０１〜１０３を介して不揮発性メモリ１７に書き込む。
【００５０】
上述した実施形態の構成のプリント基板１００は、画像形成装置１への使用に限定されるものではなく、他の電子機器に利用されてもよい。例えば、ＡＶ機器や家電製品のプリント基板においても、設定に係るデータを記憶する不揮発性メモリ１７とコネクタ１７０とが配置された第１部分１００１を分離可能とし、分離された第１部分１００１と第１部分１００１が分離されていないプリント基板とを接続し、分離された第１部分１００１にある不揮発性メモリ１７にあるデータを、第１部分１００１が分離されていないプリント基板にある不揮発性メモリ１７にコピーしてもよい。
【００５１】
上述した実施形態においては、隣り合う２つの穴１５０の間に一つの信号線が通る構成となっているが、隣り合う２つの穴１５０の間に複数の信号線が通る構成であってもよい。例えば、一つの穴１５０と、この穴１５０に隣り合う穴１５０との間に信号線１０１〜１０３が配置されている構成であってもよい。また、一つの穴１５０と、この穴１５０に隣り合う穴１５０との間に信号線１１１〜１１３が配置されている構成であってもよい。
【符号の説明】
【００５２】
１…画像形成装置、１１…制御部、１１Ａ…ＣＰＵ、１１Ｂ…ＲＯＭ、１１Ｃ…ＲＡＭ、１２…画像処理部、１３…画像形成部、１４…スキャン部、１５…操作部、１６…通信部、１７…不揮発性メモリ、１００、１００Ａ、１００Ｂ…プリント基板、１７０…コネクタ、１０１〜１０３…信号線、１１１〜１１３…信号線、１２１〜１２３…信号線、１２４…電源線、１７１〜１７９…端子、１００１…第１部分、１００２…第２部分、１００３…第３部分、１００４…第４部分。
【図１】
2019153748.tif 000003
【図２】
2019153748.tif 000004
【図３】
2019153748.tif 000005
【図４】
2019153748.tif 000006
【図５】
2019153748.tif 000007
【図６】
2019153748.tif 000008
【図７】
2019153748.tif 000009